(57)【要約】【課題】電気機械の性能をさらに向上させることが望ましい。【解決手段】本発明は、回転子と固定子とを有する電気機械であって、固定子は、固定子に沿って周方向に配置された複数の半径方向通路と、半径方向通路に収容された複数の磁束発生装置と、回転子を受け入れる内側管状スリーブとを有し、半径方向通路は、磁束発生装置と対向する複数の流体循環ギャラリーを有する電気機械に関する。管状スリーブの内面は平滑である。【選択図】図１
2019054720.tif 000002
【特許請求の範囲】
【請求項１】
回転子（１０）と固定子（１２）とを有する電気機械であって、
前記固定子（１２）は、前記固定子（１２）に沿って周方向に配置された複数の半径方向通路（２８）と、前記半径方向通路（２８）に収容された複数の磁束発生装置（３４）と、前記回転子（１０）を受け入れる内側管状スリーブ（２４）とを有し、
前記半径方向通路（２８）は、前記磁束発生装置（３４）と対向する複数の流体循環ギャラリー（３６）を有し、
前記管状スリーブ（２４）の内面は、平滑であることを特徴とする電気機械。
【請求項２】
前記回転子（１０）の外面は、平滑である、請求項１に記載の電気機械。
【請求項３】
各半径方向通路（２８）は、固定子歯（２６）、前記固定子（２０）の外縁部および前記管状スリーブ（２４）によって画定される、請求項１または２のいずれか１項に記載の電気機械。
【請求項４】
前記管状スリーブ（２４）は、前記固定子歯（２６）と一体のインサート（３８）であり、特に楔または円筒状の輪の形である、請求項３に記載の電気機械。
【請求項５】
各流体循環ギャラリー（３６）は、前記固定子歯（２６）、前記固定子（２０）の前記外縁部および前記磁束発生装置（３４）によって画定される、請求項３または４のいずれか１項に記載の電気機械。
【請求項６】
前記管状スリーブ（２４）は、強磁性体で形成される、請求項１から５のいずれか１項に記載の電気機械。
【請求項７】
前記管状スリーブは、非磁性体で形成される、請求項１から５のいずれか１項に記載の電気機械。
【請求項８】
前記管状スリーブ（２４）の厚さは、０．１ｍｍから５ｍｍの間の範囲である、請求項１から７のいずれか１項に記載の電気機械。
【請求項９】
各半径方向通路（２８）は、２つの磁束発生装置（３４）を有する、請求項１から８のいずれか１項に記載の電気機械。
【請求項１０】
各磁束発生装置（３４）は、いくつかの電気位相（Ａ、Ｂ、Ｃ）に接続され、各半径方向通路（２８）は、同じ電気位相（Ａ、Ｂ、Ｃ）に接続された２つの磁束発生装置を有する、請求項９に記載の電気機械。
【請求項１１】
各磁束発生装置（３４）は、いくつかの電気位相（Ａ、Ｂ、Ｃ）に接続され、各半径方向通路（２８）の周方向分布では、同じ電気位相（Ａ、Ｂ、Ｃ）に接続された２つの磁束発生装置を含む半径方向通路（２８）と、２つの異なる電気位相（Ａ、Ｂ、Ｃ）に接続された２つの磁束発生装置を含む半径方向通路（２８）とが交互に配置される、請求項９に記載の電気機械。
【請求項１２】
前記固定子（１２）は、１２個の半径方向通路を有し、前記磁束発生装置（３４）は３つの電気位相（Ａ、Ｂ、Ｃ）に接続され、各半径方向通路（２８）内の前記磁束発生装置（３４）の周方向分布では、
ａ）第１の半径方向通路（２８）は、前記電気位相（Ａ）に接続された２つの磁束発生装置（３４）を有し、
ｂ）第２の半径方向通路（２８）は、第２の電気位相（Ｂ）に接続された磁束発生装置（３４）と前記第１の電気位相（Ａ）に接続された磁束発生装置とを有し、
ｃ）第３の半径方向通路（２８）は、前記第２の電気位相（Ｂ）に接続された２つの磁束発生装置（３４）を有し、
ｄ）第４の半径方向通路（２８）は、第３の電気位相（Ｃ）に接続された磁束発生装置（３４）と前記第２の電気位相（Ｂ）に接続された磁束発生装置（３４）とを有し、
ｅ）第５の半径方向通路（２８）は、前記第３の電気位相（Ｃ）に接続された２つの磁束発生装置を有し、
ｆ）第６の半径方向通路（２８）は、前記第１の電気位相（Ａ）に接続された磁束発生装置（２８）と前記第３の電気位相（Ｃ）に接続された磁束発生装置（３４）とを有し、
ｇ）前記周方向分布による第７〜第１２の半径方向通路（２８）は、前記固定子（１２）の中心に対して前記第１〜第６の半径方向通路（２８）と対称である、請求項９に記載の電気機械。
【請求項１３】
前記流体は、前記電気機械を冷却する液状流体またはガス状流体である、請求項１から１２のいずれか１項に記載の電気機械。
【請求項１４】
前記電気機械は、前記固定子（１２）の外側部分において前記磁束発生装置（３４）の近くに配置された冷却システムを有する、請求項１から１３のいずれか１項に記載の電気機械。
【請求項１５】
各磁束発生装置（３４）は、電機子巻線からなる、請求項１から１４のいずれか１項に記載の電気機械。
【請求項１６】
請求項１から１５のいずれか１項に記載の電気機械と圧縮機とを有する電動圧縮機。
【請求項１７】
請求項１から１５のいずれか１項に記載の電気機械とタービンとを有する電動タービン。
【請求項１８】
請求項１から１５のいずれか１項に記載の電気機械と圧縮機とを有する電動ターボチャージャー。
【発明の詳細な説明】
【技術分野】
【０００１】
本発明は、回転子と固定子とを有する回転電気機械に関する。
【０００２】
一般的にこのような電気機械は、従来、互いに対して同軸に配置された固定子と回転子とを有する。
【０００３】
回転子は、永久磁石または巻線などの複数の磁束発生装置を保持する回転子本体からなる。
【０００４】
この回転子は、一般に、各磁石と回転子の各巻線との少なくとも一方によって発生する磁場と組み合わされて、回転子を回転駆動することを可能にする磁場を発生させる電気巻線（または電機子巻線）の形をした磁束発生装置を保持する固定子内に収容される。
【０００５】
固定子は、従来、固定子の全周に沿って延びる複数の半径方向スロットを回転子の方向に有する。これらのスロットは、任意の公知の手段によってスロットに締結される電機子巻線を受け入れることを目的としている。
【背景技術】
【０００６】
回転子と固定子との間に、場合によってはガス状流体または液状流体を通過させるように数センチメートルの長さになることもある、大きな空隙を有する種類の電気機械が知られている。
【０００７】
この種の機械は、特に、低速で動作する大きな空隙を有し、その大きな空隙により流体を通過させるシンクロ消音装置に関する特許文献１、特許文献２または特許文献３によって知られている。
【０００８】
しかしながら、この大きな空隙には、磁束が回転子と固定子との間通過するという欠点があり、これにより、機械の固有効率と同じ出力を有する固定子のサイズとに制限がある。
【０００９】
上述の欠点を解消するために、固定子と回転子との間のエネルギー変換を改善することを可能にする小さな空隙を有し、かつ、流体が機械を通過することが可能な電気機械が開発されている。この種の機械は、特に特許文献４によって知られている。
【先行技術文献】
【特許文献】
【００１０】
【特許文献１】米国特許出願第２００８−２８９３３３号明細書
【特許文献２】米国特許出願第２０１３−１６９０７４号明細書
【特許文献３】米国特許出願第２０１３−０４３７４５号明細書
【特許文献４】仏国特許発明第３０４１８３１号明細書
【発明の概要】
【発明が解決しようとする課題】
【００１１】
この種の機械は、特に、固定子磁束を通過させることを目的とした歯によって各側に画定された固定子の半径方向通路が、回転子が挿入される管状スリーブを形成するため良好な機械である。しかしながら、特に、電気機械の鉄損、磁気損失および空力損失を抑制することによって、電気機械の性能をさらに向上させ、電気機械のコストが抑制されるようにその組立てを容易にすることが望ましい。
【課題を解決するための手段】
【００１２】
これらの目的を実現するために、本発明は、回転子と固定子とを有する電気機械に関する。固定子は、いくつかの半径方向通路と、いくつかの磁束発生装置と、管状スリーブとを有する。
【００１３】
本発明は、回転子と固定子とを有する電気機械であって、固定子は、固定子に沿って周方向に配置された複数の半径方向通路と、半径方向通路に収容された複数の磁束発生装置と、回転子を受け入れる内側管状スリーブとを有し、半径方向通路は、磁束発生装置と対向する複数の流体循環ギャラリーを有する電気機械に関する。管状スリーブの内面は平滑である。
【００１４】
本発明の一実施形態によれば、回転子の外面は平滑である。
【００１５】
一実施形態によれば、各半径方向通路は、固定子歯、固定子の外縁部および管状スリーブによって画定される。
【００１６】
有利には、管状スリーブは、固定子歯と一体のインサートであり、特に楔または円筒状の輪の形である。
【００１７】
一実施形態によれば、各流体循環ギャラリーは、固定子歯、固定子の外側縁部および磁束発生装置によって画定される。
【００１８】
一実施形態によれば、管状スリーブは、強磁性体で形成される。
【００１９】
あるいは、管状スリーブは、非磁性体で形成される。
【００２０】
管状スリーブの厚さは、０．１ｍｍから５ｍｍの間の範囲であることが好ましい。
【００２１】
一実施形態によれば、各半径方向通路は、２つの磁束発生装置を有する。
【００２２】
有利には、各磁束発生装置は、いくつかの電気位相に接続され、各半径方向通路は、同じ電気位相に接続された２つの磁束発生装置を有する。
【００２３】
変形例としては、各磁束発生装置は、いくつかの電気位相に接続され、各半径方向通路の周方向分布では、同じ電気位相に接続された２つの磁束発生装置を含む半径方向通路と、２つの異なる電気位相に接続された２つの磁束発生装置を含む半径方向通路とが交互に配置される。
【００２４】
あるいは、固定子は、１２個の半径方向通路を有し、磁束発生装置は、３つの電気位相に接続され、各半径方向通路内の磁束発生装置の周方向分布では、
ａ）第１の半径方向通路は、第１の電気位相に接続された２つの磁束発生装置を有し、
ｂ）第２の半径方向通路は、第２の電気位相に接続された磁束発生装置と第１の電気位相に接続された磁束発生装置とを有し、
ｃ）第３の半径方向通路は、第２の電気位相に接続された２つの磁束発生装置を有し、
ｄ）第４の半径方向通路は、第３の電気位相に接続された磁束発生装置と第２の電気位相に接続された磁束発生装置とを有し、
ｅ）第５の半径方向通路は、第３の電気位相に接続された２つの磁束発生装置を有し、
ｆ）第６の半径方向通路は、第１の電気位相に接続された磁束発生装置と第３の電気位相に接続された磁束発生装置とを有し、
ｇ）周方向分布による第７〜第１２の半径方向通路は、固定子の中心に対して第１〜第６の半径方向通路と対称である。
【００２５】
本発明の一実施形態によれば、流体は、電気機械を冷却する液状流体またはガス状流体である。
【００２６】
有利には、この電気機械は、固定子の外側部分において磁束発生装置の近くに配置された冷却システムを有する。
【００２７】
各磁束発生装置は、電機子巻線からなることが好ましい。
【００２８】
さらに、本発明は、上記の特徴のいずれかによる電気機械と圧縮機とを有する電動圧縮機に関する。
【００２９】
本発明は、上記の特徴のいずれかによる電気機械とタービンとを有する電動タービンにも関する。
【００３０】
本発明は、上記の特徴のいずれかによる電気機械と圧縮機とを有する電動ターボチャージャーにさらに関する。
【発明の効果】
【００３１】
本発明によれば、管状スリーブは、磁場の通過を推進し、したがって、磁気損失を制限するように強磁性体から作るか、あるいは逆に、歯同士の間の短絡を防止するように非磁性体から作ることができる。さらに、管状スリーブの内面（すなわち、回転子と向かい合う表面）は、空力損失を制限するように平滑である。さらに、管状スリーブは、固定子、特に固定子歯の機械強度に寄与する。
【図面の簡単な説明】
【００３２】
【図１】本発明の第１の実施形態による電気機械を示す図である。
【図２】本発明の第２の実施形態による電気機械を示す図である。
【図３】本発明の第１の変形実施形態による磁束発生装置の周方向分布を示す図である。
【図４】本発明の第２の変形実施形態による磁束発生装置の周方向分布を示す図である。
【発明を実施するための形態】
【００３３】
図１は、非制限的な例として、本発明の一実施形態による電気機械を概略的に示す。図１に示す回転電気機械、つまり、ここでの一例としての電動機は、取り付け時に、互いに同軸で嵌合する回転子１０と固定子１２とを備え、回転子は自由に回転可能である。
【００３４】
この機械は、一例に過ぎないが、以下の説明では１極対同期機械である。
【００３５】
この機械から、より多くの極対を有する任意の他の電気機械、巻線型回転子非同期機械および、かご形回転子非同期機械が除外されることはない。
【００３６】
図１による機械の回転子は、それ自体は公知のように、好ましくは磁気を有する軸１４を備え、軸１４上に、多数の平坦な強磁性シート、強磁性塊状材料、磁石、または、これらの手段の組合せが配置され、回転子本体１６を形成するように任意の公知の手段によって組み立てられる。図１の実施形態の場合、回転子本体１６は、磁気軸と磁石とから構成される。
【００３７】
この回転子は、複数の磁束発生装置、主に長さが回転子本体の長さに略等しい複数の永久磁石を保持する。
【００３８】
固定子は、任意の公知の手段によって、管状固定子本体１８を形成するように互いに接続された多数の平坦な強磁性シートを有する。
【００３９】
この固定子本体は、内部に回転子が収容された管状スリーブ２４（管状軸受とも呼ばれる）によって画定された中空の中央部２２を有する。本発明によれば、管状スリーブ２４は、歯を互いに連結することによって、または、インサートによって形成することができる。
【００４０】
このようにして、回転子１０の外周と固定子１２の管状スリーブ２４の内周との間に空隙Ｅが得られる。
【００４１】
さらに、管状スリーブ２４の内面は、平滑である。したがって、管状スリーブ２４は、回転子１０が回転する完全に平滑な円筒管を有することを可能にする。この平滑な表面は、高エンジン速度（１０００００ｒｐｍ以上）で大きくなる恐れがある空力損失を抑制することが可能になる。
【００４２】
本発明の一形態によれば、管状スリーブ２４は強磁性体で形成することができる。この強磁性体で形成された管状スリーブ２４を有する固定子１２の構成は、高速で動作する際に顕著となることがある回転子の鉄損を全体的に軽減し、これらの鉄損を回転子から固定子に移すことを可能にする。固定子では、適切な冷却システム、特に、冷却用の空気流によって横断される固定子格子を有する機械によって、鉄損を除去することが一般的に容易である。
【００４３】
あるいは、管状スリーブ２４は、主に固定子の機械的補強と空力損失低減機能を実現する非磁性体で形成することができる。
【００４４】
したがって、本発明による電気機械は、全体的な損失、より具体的には、回転子損失と、空隙における空力損失、つまり、一般に損失を除去するのが困難な回転子の近くにおける空力損失とを抑制しつつ、高い効率を示す。これによって、回転子の適度な温度における動作を維持し、一般的により温度の影響を受けやすいがより効率的な磁石を使用することが可能になり、それにより、電気機械の固有性能を向上させることが可能になる。
【００４５】
固定子本体１８は、多数の周方向に分散された固定子歯２６（半径方向ウェブとも呼ばれる）によって管状スリーブ２４と連結される。非制限的な例として、図１の固定子１２は、互いに３０°を成すように配置された１２個の固定子歯を有する。固定子歯は、頂点が管状スリーブ２４の方へ向けられた略三角形の半径方向通路２８を確定する。これらの通路は、環状のヨーク２０の下縁部３０から軸受の外縁部３２まで半径方向に延びており、固定子本体１８全体に沿って軸線方向に広がっている。
【００４６】
本発明の一実施形態によれば、回転子１０の外面は平滑である。したがって、空隙Ｅは、固定子１２の内側部分および回転子１０の外側部分上の完全に円筒状の２つの表面によって画定されている。この特徴は、特に高エンジン速度において大きくなる空力損失を抑制することを可能にする。
【００４７】
本発明の一実施形態によれば、機械から要求される電力に応じて、管状スリーブ２４は、薄い磁気ブリッジが得られるように０．１ｍｍから５ｍｍの範囲の厚さを有することができる。したがって、回転子の誘導高調波を低減させる（鉄損を固定子に移す）ことが可能になる。
【００４８】
図１に示されているように、固定子１２は、半径方向通路２８内、より厳密には環状のヨークの下縁部３０の近傍に収容された、好ましくは液密であるかまたは防護物を備えた磁束発生装置３４、例えば、電機子巻線を有する。本発明の一実施形態によれば、磁束発生装置３４は、環状のヨーク２０の下縁部３０に接触するように配置することができる。この構成は、特に電気機械を冷却するか、あるいは圧縮システムまたは膨張システムに流体を供給するために、電気機械内を流体が通過することを可能にする大形の半径方向通路２８を使用可能にする。したがって、流体が電気機械内を流れ、かつ回転子における損失が抑制されるために冷却システムが簡略化され、回転子をより容易に冷却することが可能になり、場合によって、電気機械内の対流および構造拡散によって損失を除去することが可能になるときには、回転子を冷却しないことも可能になる。
【００４９】
したがって、長い固定子歯２６は、各磁束発生装置３４を管状スリーブ２４の各磁束発生装置３４から離れた位置に設けることを可能にする。さらに、これらの固定子歯２６は、この回転子１０から離れた位置に配置された磁束発生装置３４（巻線）によって生成される磁束を回転子１０の方へ案内することを可能にする。
【００５０】
したがって、空隙Ｅの寸法は（数十分の１ミリメートル）減少し、それにより、電気機械の効率および性能を最適化することが可能になる。
【００５１】
この場合、巻線同士の間に形成された軸線方向流体循環ギャラリー３６、管状スリーブ２４の外縁部および固定子歯２６は、ガス状流体または液状流体などの流体を通過させることを可能にする、（閉鎖スロットを有する）固定子格子を形成する。
【００５２】
これによって、機械のガス流または流体流と機械の冷却との少なくとも一方の組み込みが可能になり、したがって、空間要件と熱放出との少なくとも一方によって制約される所与のシステムにおける位置決めが最適化される。
【００５３】
さらに、この電気機械の磁気特性は、特に空隙の大きい機械に関して、所与の性能レベルのためのアクティブマターの量を制限することを可能にし、それによって、回転子の質量、したがって慣性を抑制するのを可能にする。
【００５４】
特性によれば、電気機械は、固定子１２の外側部分において各磁束発生装置３４の近くに配置された冷却システム（不図示）をさらに有してもよい。この第２の冷却システムは、電気機械内を通って流れる流体と同じ流体、または別の熱媒によって実現することができる。この特徴は、電気機械の性能を向上させるのを可能にする。したがって、特に電流密度を高くすることによって高出力密度電気機械を提供することが可能になる。
【００５５】
図２は、本発明の第２の実施形態による電気機械を非制限的な例として概略的に示す。第２の実施形態による電気機械は、管状スリーブ２４を除いて図１に示されている電気機械と同一である。図１に関連して説明した同一の要素については、詳しく説明はしない。
【００５６】
この第２の実施形態の場合、管状スリーブ２４は、固定子歯２６上のインサート３８から構成されている。インサート３８は、楔または円筒状の輪によって構成してもよい。インサート３８は、固定子歯２６によって形成される固定子格子のスロットを閉鎖する。
【００５７】
さらに、インサート３８は、強磁性体で形成される。この強磁性体は、固定子歯２６の強磁性体と同様でもよいし、固定子歯２６の強磁性体と異なっていてもよい。
【００５８】
このように各スロットを閉鎖すると、開放スロット構造の利点、特に、製造コストの削減を伴う巻線を巻くことの自動化、および閉鎖スロット構造の利点、具体的には、特に回転子における損失の低減による利益を得ることが可能になる。
【００５９】
図１および図２に示されているように、各半径方向通路２８は、２つの磁束発生装置３４を有してもよい。磁束発生装置３４は、回転子１０を回転させるように回転磁場を発生させるために電圧インバータの電気位相に接続してもよい。
【００６０】
図３は、図１の実施形態による電気機械に関する各磁束発生装置３４と３つの電気位相Ａ、Ｂ、Ｃとの間の第１の接続変形実施形態を非制限的な例として概略的に示す。図１に示されている電気機械に関連する同一の要素については、詳しく説明はしない。この構成に制限されることはなく、特に、図３の変形実施形態を図２の実施形態とともに実施して各磁束発生装置３４の組立てを容易にすることができる。図３は、３つの電気位相Ａ、Ｂ、Ｃとの接続に対応するが、電気機械は異なる数の電気位相、例えば、２つ、４つまたは６つ以上の電気位相に接続してもよい。
【００６１】
図３の変形実施形態の場合、半径方向通路の２つの磁束発生装置３４は、同じ電気位相Ａ、ＢまたはＣと接続される。したがって、半径方向通路２８には、電気位相Ａに接続された２つの半径方向通路、電気位相Ｂに接続された２つの磁束発生装置３４、または、電気位相Ｃに接続された２つの磁束発生装置３４がある。
【００６２】
好ましくは、各磁束発生装置３４と電気位相Ａ、Ｂ、Ｃとの間の接続の周方向分布は、固定子１２の中心に対して対称である。言い換えれば、電気位相Ａ同士が中心対称によって互いに面しており、電気位相Ｂ同士が中心対称によって互いに面しており、電気位相Ｃ同士が中心対称によって互いに面している。
【００６３】
図３の例の場合、１２個の半径方向通路内の磁束発生装置３４の周方向分布では、
−第１の半径方向通路２８が、電気位相Ａに接続された２つの磁束発生装置３４を有し、
−第２の半径方向通路２８が、電気位相Ａに接続された２つの磁束発生装置３４を有し、
−第３の半径方向通路２８が、電気位相Ｂに接続された２つの磁束発生装置３４を有し、
−第４の半径方向通路２８が、電気位相Ｂに接続された２つの磁束発生装置３４を有し、
−第５の半径方向通路２８が、電気位相Ｃに接続された２つの磁束発生装置３４を有し、
−第６の半径方向通路２８が、電気位相Ｃに接続された２つの磁束発生装置３４を有し、
−この周方向分布による第７〜第１２の半径方向通路２８は、固定子１２の中心に関して第１〜第６の半径方向通路２８と対称である（すなわち、第７の半径方向通路は第１の半径方向通路と同一であり、第８の半径方向通路は第２の半径方向通路と同一であり、…、第１２の半径方向通路は第６の半径方向通路と同一である）。
【００６４】
この変形実施形態は、１２個の半径方向通路２８を有する実施形態に限定されず、本発明の範囲から逸脱せずに、任意の数、特に６つ、８つなどの半径方向通路に対しても適合することができる。
【００６５】
図４は、図１の実施形態による電気機械に関する各磁束発生装置３４と３つの電気位相Ａ、Ｂ、Ｃと接続に関する第１の変形実施形態を非制限的な例として概略的に示す。図１に示されている電気機械に関連する同一の要素については、詳しく説明はしない。この構成に制限されることはなく、特に、図３の変形実施形態を図２の実施形態とともに実施して各磁束発生装置３４の組立てを容易にすることができる。図４は、３つの電気位相Ａ、Ｂ、Ｃとの接続に対応するが、電気機械は異なる数の電気位相、たとえば、２つ、４つ、または６つ以上の電気位相に接続してもよい。
【００６６】
図４の変形実施形態の場合、各半径方向通路の周方向分布では、同じ電気位相に接続された２つの磁束発生装置３４を含む半径方向通路２８と、２つの異なる電気位相に接続された２つの磁束発生装置３４を含む半径方向通路２８が交互に配置されている。言い換えれば、半径方向通路２８の第１の半分では、２つの磁束発生装置３４が同じ電気位相に接続されており、半径方向通路２８の第２の半分では、２つの磁束発生装置３４が２つの異なる電気位相に接続されており、第２の半分に含まれる各半径方向通路２８は、第１の半分に含まれる２つの半径方向通路２８の間に配置されている。
【００６７】
各磁束発生装置３４と電気位相Ａ、Ｂ、Ｃとの接続の周方向分布は、固定子１２の中心に対して対称であってもよい。言い換えれば、電気位相Ａ同士が中心対称によって互いに面しており、電気位相Ｂ同士が中心対称によって互いに面しており、電気位相Ｃ同士が中心対称によって互いに面している。
【００６８】
図４の例の場合、１２個の半径方向通路内の磁束発生装置３４の周方向分布では、
−第１の半径方向通路２８が、電気位相Ａに接続された２つの磁束発生装置３４を有し、
−第２の半径方向通路２８が、電気位相Ｂに接続された磁束発生装置３４と電気位相Ａに接続された磁束発生装置３４とを有し、
−第３の半径方向通路２８が、電気位相Ｂに接続された２つの磁束発生装置３４を有し、
−第４の半径方向通路２８が、電気位相Ｃに接続された磁束発生装置３４と電気位相Ｂに接続された磁束発生装置３４とを有し、
−第５の半径方向通路２８が、電気位相Ｃに接続された２つの磁束発生装置３４を有し、
−第６の半径方向通路２８が、電気位相Ａに接続された磁束発生装置３４と電気位相Ｃに接続された磁束発生装置３４とを有し、
−この周方向分布による第７〜第１２の半径方向通路２８は、固定子１２の中心に対して第１〜第６の半径方向通路２８と対称である（すなわち、第７の半径方向通路は第１の半径方向通路と同一であり、第８の半径方向通路は第２の半径方向通路と同一であり、…、第１２の半径方向通路は第６の半径方向通路と同一である）。
【００６９】
この変形実施形態は、１２個の半径方向通路２８を有する実施形態に限定されず、本発明の範囲から逸脱せずに、任意の数、特に６つ、８つなどの半径方向通路に対しても適合することができる。
【００７０】
この周方向分布は、図３の実施形態よりも正弦波的な起磁力を得ることを可能にし、それにより、トルクリップルと、回転子および固定子における鉄損を抑制するのを可能にする。
【００７１】
図１〜図４に示されているように、固定子格子を構成する各固定子歯２６は、それを通って流れる流体の方向に対する影響最小限に抑えるように、その流体と略平行、つまり、固定子の長手軸に略平行な軸方向を有してもよい。
【００７２】
本発明の図示されていない変形実施形態によれば、これらの固定子歯の軸線方向は、固定子の長手方向軸線に対して傾斜させることができる。
【００７３】
さらに、この方向は、流体の動きを案内／開始または停止させることを目的としたらせん状などの複雑な空力学的形状であってもよい。
【００７４】
このらせん形状は、各固定子歯と流体との間の接触面を大きくするのを可能にすることができる。
【００７５】
この固定子歯のらせん形状は、傾斜角度に応じてトルクリップルを低減させることを可能にするため、磁気的な観点から適切な形状にすることができる。
【００７６】
さらに、これらの固定子歯は、断面形状、涙滴形状、または飛行機の翼の形状など、格子内を通る流体の流れに関する圧力降下を最小限に抑える空力学的形状を有してもよい。
【００７７】
この機械を任意の種類の流体に適合させ、かつ運送業、食品産業、石油産業、建築分野、および電気機械内において流体を移送または案内することを必要とする他の分野における任意の種類の使用に適合させるために、固定子および回転子に表面処理を施すことができる。
【００７８】
電気機械の冷却に関しては、この電気機械構成では、固定子における非常に広い交換表面が形成され、同様の性能を有する従来の電気機械と比較して簡略化された冷却システムを使用することが可能になり、場合によっては、冷却がこのように最適化されるので固定子の電流密度を高くすることが可能になる。そればかりでなく、この構成は、
−受動冷却または固有冷却と、
−固定子ヨークの周辺に対する能動的または受動的な追加の冷却の少なくとも一方を有することを可能にする。
【００７９】
この種の機械は、その幾何学的な形状に関する固有の利点により、機械を流体に横切らせることを可能にし、かつ固定子磁束発生装置を回転子磁束発生装置から半径方向に離して設けることを可能にするため、組み込みに関するわずかな修正を施すだけで既存のシステムに容易に組み込むことができる。
【００８０】
本発明の例示的な実施形態によれば、電気機械は、電動圧縮機構成、電動タービン構成、または電動ターボチャージャー構成内の圧縮機とコンパクトに組み合わせることができる。このコンパクトさは、システムが非常に高いエンジン速度で動作しなければならず、できるだけ回転軸の長さを短くするとともに回転軸の質量／慣性を低減させる必要があるときに適切である。
【００８１】
適用例
本発明による電気機械の特徴および利点は、以下の適用例を読んだときに明らかになるであろう。
【００８２】
この例では、（従来技術ＡＡによる）開放スロット型の電気機械と（図１の例による強磁性体で作られた平滑な管状スリーブを有する）本発明ＩＮＶによる閉鎖スロット型の電気機械とを比較する。これら２つの電気機械は、スロットが開放されているかまたは閉鎖されているかを除いて同一である。どちらの電気機械もＮＯ.２０スチールシートで作られている。
【００８３】
表１は、鉄損レベルに対するスロットを閉鎖することの影響を示す。この表において、Ｉｐｅａｋは、この位相における最大電流に相当し、Ｐｓｉはデフラックス角度（deflux angle）に相当する。
【表１】
2019054720.tif 000003
【００８４】
全体的に、本発明による電気機械では、鉄損が減少することに留意されたい。回転子における鉄損が２６％程度減少することがわかる。同時に、固定子における鉄損は４％の増加に過ぎない。
【図１】
2019054720.tif 000004
【図２】
2019054720.tif 000005
【図３】
2019054720.tif 000006
【図４】
2019054720.tif 000007
【外国語明細書】
2019054720000001.pdf